(57)【要約】【課題】組み立てて立体とした際に、お湯を注いで調理加熱可能であり、その後、携帯飲食可能でかつ搬送時における容積低減とを実現する。【解決手段】スリーブ３０の両側縁部３３ａ，３３ｂに力を加えて両側縁部が接近するように屈曲させるとともに、スリーブの下端部に力を加えて底部中央折り込み線４０と底アーチ折り線３８，４８で屈曲させることで底部３４，４４を面一化してスリーブが立体形状に変化するとともに、スリーブの正面３２および後面４２に接続されたパウチ２０が筒状に開く。【選択図】図３
2016011120.tif 000002
【特許請求の範囲】
【請求項１】
有底状の扁平なパウチと、該パウチ側部の少なくとも底部側とパウチ底部とを包囲した扁平なスリーブとからなり、開封時に前記スリーブ正面中心付近を厚さ方向に拡げて自立可能な筒状に組み立てる複合包装材としてのパウチスリーブであって、
前記パウチが、両側端部がシールされた前面および後面と、拡げた際の底部と、を有するとともに、
前記スリーブが、未開封時には前記パウチの前後側に位置する枚葉の前片と後片とからなり、
前記スリーブの前記前後片には、それぞれ立体とした際の正面または後面と側面と底部と、
前記正面または前記後面と前記底部との境界をなすとともに両側部を横方向に結ぶアーチ状として設けられた底アーチ折り線と、
前記前後片の下側端部に、前記前後片が接続された状態で前記横方向に延びる底部中央折り込み線と、
前記スリーブの両側端に位置し、前記パウチの両側端部を前記前後片で一体的に挟んで接続した上下方向に延在する側縁部と、
前記両側面の前記側縁部側に位置して上下方向に延在し、立体とした際に前記側縁部を前記側面から横方向に突出させる側縁折り線と、
前記側面の下端に位置する脚部と、
前記アーチ折り線外側端部から外側下向き４５°に下降する下折り線と前記アーチ折り線外側端部から前記上下方向に延長された底側部折り線とで区分された内側脚部と、
が設けられ、
前記スリーブの前記両側縁部に力を加えて前記両側縁部が接近するように屈曲させるとともに、前記スリーブの下端部に力を加えて前記底部中央折り込み線と前記底アーチ折り線で屈曲させることで底部を面一化して前記スリーブが立体形状に変化するとともに、前記スリーブの前記正面および後面に接続された前記パウチが筒状に開くことを特徴とするパウチスリーブ。
【請求項２】
請求項１記載のパウチスリーブであって、
前記パウチが有底状のバリアフィルムからなることを特徴とするパウチスリーブ。
【請求項３】
請求項２記載のパウチスリーブであって、
前記パウチが食材を封入されたことを特徴とするパウチスリーブ。
【請求項４】
請求項１から３のいずれか記載のパウチスリーブであって、
前記スリーブの前後片が枚葉状とされ、前記底部中央折り込み線で折り返されていることを特徴とするパウチスリーブ。
【請求項５】
請求項４記載のパウチスリーブであって、
前記両側面と前記正面または前記後面との間に位置し、立体とした際に前記正面または前記後面と前記側面との境界となる上下方向に延在する側折り線が設けられることを特徴とするパウチスリーブ。
【請求項６】
請求項５記載のパウチスリーブであって、
前記下折り線が、前記側折り線下端と前記アーチ折り線外側端部との交点から外側下向き４５°に下降することを特徴とするパウチスリーブ。
【請求項７】
請求項６記載のパウチスリーブであって、
前記底側部折り線と下折り線とが、連続して同方向に延在することを特徴とするパウチスリーブ。
【請求項８】
請求項７記載のパウチスリーブであって、
前記スリーブの両側縁部に力を加えて横方向内側に縮め前記側折り線で屈曲させて前記スリーブが立体形状に変化することを特徴とするパウチスリーブ。
【請求項９】
請求項１から８のいずれか記載のパウチスリーブであって、
前記パウチが前記正面と前記後面との内側に貼着されることを特徴とするパウチスリーブ。
【発明の詳細な説明】
【技術分野】
【０００１】
本発明はパウチスリーブに関し、特に、筒状に形成された厚紙などからなるスリーブと、その外装体の内側に貼着されたフィルムなどからなるパウチを備えて、スリーブによりパウチを自立的かつ携帯可能に立体化でき、熱湯を注いで調理可能な食品を充填したパウチスリーブに用いて好適な技術に関する。
【背景技術】
【０００２】
従来、熱湯を注いで加温調理する食品を収容するのにプラスチックフィルム袋が適用されている。このような注湯食品を収容するプラスチックフィルム袋の典型例は、いわゆる「パウチ」と呼ばれている積層フィルム袋である。これ以外にも、容器内に熱湯を注いで加温調理する容器としては、発泡ポリスチレン製の成形容器や、紙製カップからなる二重容器などが広く使用されている。また、具材等を収納した容器を電子レンジにて加熱調理するための包装容器としては、主に耐熱性の成形容器や、成形容器に断熱効果を周壁に附加した二重容器などが市場化されている。
【０００３】
特許文献１の包装体は、包装体の中にパウチを入れた状態でレンジ加熱し、そして、電子レンジから包装体と共に取り出したパウチを、そのままの状態つまり包装体で包囲した状態のままでパウチを開封してパウチの中の加工食品を喫食する方法を提供することができる。この新しい喫食方法にあっては、包装体は、電子レンジの中でパウチを自立状態に維持するツールであり且つ喫食する際にはパウチと一緒になって食器として機能する。
【先行技術文献】
【特許文献】
【０００４】
【特許文献１】実用新案登録第３１１８６０９号公報
【発明の概要】
【発明が解決しようとする課題】
【０００５】
しかし、特許文献1に記載される技術であると、加熱時の自立に主眼を置いているため、この容器のまま携帯することが想定されておらず、また、この容器のまま食すにはパウチの開口が小さく、スプーン等で食材を取り出すことが難しいという問題があった。
さらに、最近、ドライフーズに注湯してそのまま食せる程の強度および利便性と、搬送時における容積低減とを両立できる容器の実現が望まれている。
【０００６】
本発明は、上記の事情に鑑みてなされたもので、組み立てて立体とした際に、お湯を注いで調理加熱可能であり、その後、携帯飲食可能でかつ搬送時における容積低減とを実現可能なパウチスリーブを提供可能とするという目的を達成しようとするものである。
【課題を解決するための手段】
【０００７】
本発明のパウチスリーブは、有底状の扁平なパウチと、該パウチ側部の少なくとも底部側とパウチ底部とを包囲した扁平なスリーブとからなり、開封時に前記スリーブ正面中心付近を厚さ方向に拡げて自立可能な筒状に組み立てる複合包装材としてのパウチスリーブであって、
前記パウチが、両側端部がシールされた前面および後面と、拡げた際の底部と、を有するとともに、
前記スリーブが、未開封時には前記パウチの前後側に位置する枚葉の前片と後片とからなり、
前記スリーブの前記前後片には、それぞれ立体とした際の正面または後面と側面と底部と、
前記正面または前記後面と前記底部との境界をなすとともに両側部を横方向に結ぶアーチ状として設けられた底アーチ折り線と、
前記前後片の下側端部に、前記前後片が接続された状態で前記横方向に延びる底部中央折り込み線と、
前記スリーブの両側端に位置し、前記パウチの両側端部を前記前後片で一体的に挟んで接続した上下方向に延在する側縁部と、
前記両側面の前記側縁部側に位置して上下方向に延在し、立体とした際に前記側縁部を前記側面から横方向に突出させる側縁折り線と、
前記側面の下端に位置する脚部と、
前記アーチ折り線外側端部から外側下向き４５°に下降する下折り線と前記アーチ折り線外側端部から前記上下方向に延長された底側部折り線とで区分された内側脚部と、
が設けられ、
前記スリーブの前記両側縁部に力を加えて前記両側縁部が接近するように屈曲させるとともに、前記スリーブの下端部に力を加えて前記底部中央折り込み線と前記底アーチ折り線で屈曲させることで底部を面一化して前記スリーブが立体形状に変化するとともに、前記スリーブの前記正面および後面に接続された前記パウチが筒状に開くことにより臓器課題を解決した。
本発明は、上記のパウチスリーブであって、
前記パウチが有底状のバリアフィルムからなることができる。
本発明は、上記のパウチスリーブであって、
前記パウチが食材を封入されたことができる。
本発明は、上記のいずれか記載のパウチスリーブであって、
前記スリーブの前後片が枚葉状とされ、前記底部中央折り込み線で折り返されていることができる。
本発明は、上記のパウチスリーブであって、
前記両側面と前記正面または前記後面との間に位置し、立体とした際に前記正面または前記後面と前記側面との境界となる上下方向に延在する側折り線が設けられることができる。
本発明は、上記のパウチスリーブであって、
前記下折り線が、前記側折り線下端と前記アーチ折り線外側端部との交点から外側下向き４５°に下降することができる。
本発明は、上記のパウチスリーブであって、
前記底側部折り線と下折り線とが、連続して同方向に延在することができる。
本発明は、上記のパウチスリーブであって、
前記スリーブの両側縁部に力を加えて横方向内側に縮め前記側折り線で屈曲させて前記スリーブが立体形状に変化することができる。
本発明は、上記のいずれか記載のパウチスリーブであって、
前記パウチが前記正面と前記後面との内側に貼着されることができる。
【０００８】
また、本発明のパウチスリーブは、食材を封入した有底状のバリアフィルムからなる扁平なパウチと、該パウチ側部の少なくとも底部側とパウチ底部とを包囲した扁平なスリーブとからなり、開封時に前記スリーブ正面中心付近を厚さ方向に拡げて自立可能な筒状に組み立てる複合包装材としてのパウチスリーブであって、
前記パウチが、両側端部がシールされた前面および後面と、拡げた際の底部と、を有するとともに、
前記スリーブが、未開封時には前記パウチの前後側に位置する枚葉の前片と後片とからなり、
前記スリーブの前記前後片には、それぞれ立体とした際の正面または後面と側面と底部と、
前記正面または前記後面と前記底部との境界をなすとともに両側部を横方向に結ぶアーチ状として設けられた底アーチ折り線と、
前記前後片の下側端部に、前記前後片が接続された状態で前記横方向に延びる底部中央折り込み線と、
前記スリーブの両側端に位置し、前記パウチの両側端部を前記前後片で一体的に挟んで接続した上下方向に延在する側縁部と、
前記両側面と前記正面または前記後面との間に位置し、立体とした際に前記正面または前記後面と前記側面との境界となる上下方向に延在する側折り線と、
前記側縁部を、立体とした際に前記側面から横方向に突出させる側縁折り線と、
前記側面の下端に位置する脚部と、
前記側折り線下端と前記アーチ折り線外側端部との交点から外側下向き４５°に下降する下折り線と前記側折り線下端から前記側折り線と同じ方向に延長された底側部折り線とで区分された内側脚部と、
を備え、
前記パウチが前記正面と前記後面との内側に貼着され、
前記スリーブの両側縁部に力を加えて横方向内側に縮め前記側折り線で屈曲させるとともに、前記スリーブの下端部に力を加えて前記底部中央折り込み線と前記底アーチ折り線で屈曲させることで前記スリーブが立体形状に変化するとともに、前記スリーブの前記正面および後面に接続された前記パウチが筒状に開くことができる。
【０００９】
また、本発明は、食材を封入した有底状の扁平なパウチと、該パウチの少なくとも底部側とパウチ底部とを包囲した扁平なスリーブとからなり、開封時に前記スリーブ正面中心付近を厚さ方向に拡げて自立可能な有底筒状に組み立てるパウチスリーブであって、
前記パウチが、シールされた両側端部と拡げた際の底部およびマチとを有するとともに、
前記スリーブが、対向する２つの主壁が左右の側端部と底端部とで連結され前記底端部の両側端位置に切欠が形成され、
前記２つの主壁の底端部が底部中央折り込み線で折り返されており、
前記主壁の左右両側端部には、前記パウチのシール部を挟んで固定する側縁部が上下方向に延在し、
前記主壁の前記側縁部より幅方向内側位置には、組み立て時にマチとなる側面が上下方向に延在し、
前記主壁には、前記側面の幅方向内側位置に、組み立て時に前後正面となる部分との境界となる側折り線（側壁折罫）が上下方向に形成され、
前記主壁の前後正面下側位置には、左右の前記側折り線（側壁折罫）下端部どうしを横方向に結ぶアーチ状に設けられた底アーチ折り線が設けられ、
前記側面における前記底アーチ折り線より下側位置には、組み立て時に接地可能な脚部が設けられ、
前記主壁の下側位置に、前記側折り線（側壁折罫）をさらに延長した底側部折り線（側側壁折罫）が設けられ、
前記底側部折り線（側側壁折罫）の外側位置に、組み立て時に前記脚部と底部との間となる内側脚部が設けられ、
前記主壁には、前記側折り線下端と前記アーチ折り線外側端部との交点から外側下向き４５°に下降する下折り線が設けられ、
開封組み立て時に、前記パウチ上側を開封した状態で、前記スリーブの底端部に力を加えて前記底アーチ折り線を山折りに屈曲させ前記底部中央折り込み線から前後側に水平状に拡げるとともに、前記スリーブの両側縁部に力を加えて前記側折り線を山折りに屈曲させて、前記スリーブの前記２つの主壁の厚さ方向寸法を拡げ前記正面および後面に接続された前記パウチを筒状に自立可能とされることができる。
【００１０】
本発明のパウチスリーブは、有底状の扁平なパウチと、該パウチ側部の少なくとも底部側とパウチ底部とを包囲した扁平なスリーブとからなり、開封時に前記スリーブ正面中心付近を厚さ方向に拡げて自立可能な筒状に組み立てる複合包装材としてのパウチスリーブであって、
前記パウチが、両側端部がシールされた前面および後面と、拡げた際の底部と、を有するとともに、
前記スリーブが、未開封時には前記パウチの前後側に位置する枚葉の前片と後片とからなり、
前記スリーブの前記前後片には、それぞれ立体とした際の正面または後面と側面と底部と、
前記正面または前記後面と前記底部との境界をなすとともに両側部を横方向に結ぶアーチ状として設けられた底アーチ折り線と、
前記前後片の下側端部に、前記前後片が接続された状態で前記横方向に延びる底部中央折り込み線と、
前記スリーブの両側端に位置し、前記パウチの両側端部を前記前後片で一体的に挟んで接続した上下方向に延在する側縁部と、
前記両側面の前記側縁部側に位置して上下方向に延在し、立体とした際に前記側縁部を前記側面から横方向に突出させる側縁折り線と、
前記側面の下端に位置する脚部と、
前記アーチ折り線外側端部から外側下向き４５°に下降する下折り線と前記アーチ折り線外側端部から前記上下方向に延長された底側部折り線とで区分された内側脚部と、
が設けられ、
前記スリーブの前記両側縁部に力を加えて前記両側縁部が接近するように屈曲させるとともに、前記スリーブの下端部に力を加えて前記底部中央折り込み線と前記底アーチ折り線で屈曲させることで底部を面一化して前記スリーブが立体形状に変化するとともに、前記スリーブの前記正面および後面に接続された前記パウチが筒状に開くことにより、ドライフーズ等を充填したパウチを薄く形成するとともに、かつ、このパウチを、底部中央折り込み線で二つ折りとされたスリーブの前片と後片との間に挟持して、パウチのシールされた両側端部とスリーブの両側縁部とを貼着することで、厚みのある一枚物として形成することができる。しかも、パウチ上部を開封してスリーブの両側部を横方向に縮幅するように変形するとともに、底部中央折り込み線を上方向に押し上げて底部をなめらかなアーチ面に変形し、かつ、前後幅を拡大するように前面と後面とを離間することで、立体的に組み立てることができるこのとき、内側脚部と脚部とによって、強固に自立可能となるとともに、立体化した変形状態が元に戻らないように規制することが可能となる。このため、熱湯を注ぐ等の加熱調理などが容易におこなえるとともに、パウチ開口から幅広のスプーンなどで食材をすくい上げることが容易となる。
【００１１】
本発明は、上記のパウチスリーブであって、前記パウチが有底状のバリアフィルムからなることにより、立体化したスリーブ内においてパウチ内部に調理に必要な空間を形成してパウチを開口状態とすることができる。
【００１２】
本発明は、上記のパウチスリーブであって、前記パウチが食材を封入されたことにより、従来発泡ポリスチレン製の成形容器等でおこなっていた調理加熱する食材でも、搬送容積を減らして同一退席での半総個数を増大し、低コスト化を図ることができる。
【００１３】
本発明は、上記のいずれか記載のパウチスリーブであって、前記スリーブの前後片が枚葉状とされ、前記底部中央折り込み線で折り返されていることにより、枚葉状のスリーブを印刷成型加工して二つ折りにし、パウチを挟持して貼り合わせるだけで製造できるので、製造工程を減少し、製造作業時間を短縮して低コスト化を図ることができる。
【００１４】
本発明は、上記のパウチスリーブであって、前記両側面と前記正面または前記後面との間に位置し、立体とした際に前記正面または前記後面と前記側面との境界となる上下方向に延在する側折り線が設けられることにより、底部に対して略直立した周囲である前面、後面および側部を強固に立設して、自立性の向上と把持時の安定性を向上することができる。
【００１５】
本発明は、上記のパウチスリーブであって、前記下折り線が、前記側折り線下端と前記アーチ折り線外側端部との交点から外側下向き４５°に下降することで、内側脚部と脚部との強度を向上し、かつこれら内側脚部と脚部とが４点で載置面に接するように立体化することを可能として、自立性の向上と安定性の向上とを図ることができる。
【００１６】
本発明は、上記のパウチスリーブであって、前記底側部折り線と下折り線とが、連続して同方向に延在することで、スリーブの形成加工を用意化し、かつ、開封前の状態において、食品が充填された場合に厚みのあるパウチに対して下側に突出した底部が、搬送時に変形するような外力を受けた場合でも、底部と内側脚部と脚部とが組み立て時に自立性を損なわないように変形させることが可能となる。
【００１７】
本発明は、上記のパウチスリーブであって、前記スリーブの両側縁部に力を加えて横方向内側に縮め前記側折り線で屈曲させて前記スリーブが立体形状に変化することにより、立体化を容易におこない、扱いに慣れていない消費者であっても組み立てられる形態とすることができる。
【００１８】
本発明は、上記のいずれか記載のパウチスリーブであって、前記パウチが前記正面と前記後面との内側に貼着されることにより、スリーブの前面と後面とを離間させるように動かすという一動作だけで、開封したパウチの上端を大きく開いて、お湯を注ぐ、あるいは、スプーンを挿入するといった開口を形成することが容易にできる。
【発明の効果】
【００１９】
本発明によれば、搬送時には余分な容積を持たずに、かつ、一動作だけで開口を大きく開けて容易に立体化でき、自立性に優れ、同時に、立体に組み立てた状態で把持して携帯することが容易である強度を有するパウチスリーブを提供することができるという効果を奏することが可能となる。
【図面の簡単な説明】
【００２０】
【図１】本発明に係るパウチスリーブの第１実施形態における未開封状態を示す平面図である。
【図２】本発明に係るパウチスリーブの第１実施形態における開封状態を示す斜視図である。
【図３】本発明に係るパウチスリーブの第１実施形態における開封状態を示す斜視図である。
【図４】本発明に係るパウチスリーブの第１実施形態におけるスリーブを示す平面図である。
【図５】本発明に係るパウチスリーブの第１実施形態におけるスリーブの展開状態を示す平面図である。
【図６】本発明に係るパウチスリーブの第１実施形態におけるパウチを示す平面図である。
【図７】本発明に係るパウチスリーブの第１実施形態におけるパウチを示す斜視図である。
【発明を実施するための形態】
【００２１】
以下、本発明に係るパウチスリーブの第１実施形態を、図面に基づいて説明する。
図１は、本実施形態におけるパウチスリーブを示す平面図であり、図２、図３は、同斜視図であり、図４、図５は、本実施形態におけるスリーブを示す平面図であり、図６、図７は、本実施形態におけるパウチを示す平面図であり、図において、符号１は、パウチスリーブである。
【００２２】
本実施形態に係るパウチスリーブ１０は、図１〜図７に示すように、食材等を封入した有底状のバリアフィルムからなる扁平なパウチ２０と、パウチ２０を包囲した扁平なスリーブ３０とからなり、開封時に前記スリーブ正面中心付近を厚さ方向に拡げて自立可能な筒状に組み立てる複合包装材とされる。
【００２３】
本実施形態におけるパウチ２０は、従来の有底パウチと同様、図６，図７に示すように、前シート材（前面）２１および後シート材（後面）２２と、底シート材（底部）２３とから製造される。
前シート材（前面）２１および後シート材（後面）２２は、略矩形の側部分と略台形の底部分とからなる輪郭形状を有し、互いに同形とされている。底シート材（底部）２３は、略台形とされる輪郭形状を有し、前シート材（前面）２１および後シート材（後面）２２の幅寸法が縮小された部分に設けられ、前シート材（前面）２１および後シート材（後面）２２の上端２１ａと平行な中央底折り線２４により、二つ折りとされている。また、底シート材（底部）２３は、上端２１ａと平行な前底折り線２５により折られて前シート材（前面）２１と連続するとともに、上端２１ａと平行な前底折り線２６により折られて後シート材（後面）２２と連続する。
【００２４】
これら前シート材（前面）２１、後シート材（後面）２２は、両側端部２１ｂ、２２ｂがシールされ、前シート材（前面）２１、底シート材（底部）２３は、両側端部２１ｃ、２３ｃがシールされ、後シート材（後面）２２、底シート材（底部）２３は、両側端部２２ｄ、２３ｄがシールされている。
【００２５】
前シート材（前面）２１、後シート材（後面）２２、底シート材（底部）２３の材料は、特に限定されるものではないが、基本素材としてプラスチックフィルムないしシートを使用し、具体的には、例えば、ポリエステル系樹脂、ポリアミド系樹脂、ポリアラミド系樹脂、ポリオレフィン系樹脂、ポリカーボネート系樹脂、ポリスチレン系樹脂、ポリアセタール系樹脂、フッ素系樹脂等を使用することができる。このプラスチックフィルムないしシートとしては、未延伸フィルム、あるいは一軸方向または二軸方向に延伸した延伸フィルムのいずれのものでも使用することができる。  
【００２６】
また、一般的には、上記のような基材フィルムに、さらに、製袋する際に、ヒートシール性フィルムを積層した積層体を使用するものである。本発明において、ヒートシール性フィルムとしては、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、その他等の樹脂のフィルムないしシートを使用することができる。
【００２７】
パウチ２０は、上記のような積層体を使用し、その内層のヒートシール性樹脂層の面を対向させて、それを折り重ねるか、またはその二枚を重ね合わせ、そして、その周辺端部をヒートシールしてシール部を設けて袋状に形成する。その製袋方法としては、上記の積層体を、その内層の面を対向させて折り曲げるか、あるいはその二枚を重ね合わせ、更にその外周の周辺端部を、例えば、側面シール型、二方シール型、三方シール型、四方シール型、封筒貼りシール型、合掌貼りシール型（ピローシール型）、ひだ付シ−ル型、平底シール型、角底シール型等のヒートシール形態によりヒートシールして、本発明にかかる種々の形態の内装袋１２を製造することができる。上記において、ヒートシールの方法としては、例えば、バーシール、回転ロールシール、ベルトシール、インパルスシール、高周波シール、超音波シール等の公知の方法で行うことができる。
【００２８】
なお、パウチ２０を構成する材料は、上述のものに限定されるものではなく、例えば、紙を基材とし、ヒートシール性フィルムとの積層など、公知の材料を適宜使用することができる。
【００２９】
例えば、前シート材（前面）２１、後シート材（後面）２２、底シート材（底部）２３としては、ＰＥＴ（ポリエチレンテレフタラート）／印刷層／接着層／ＯＮＹ（延伸ナイロン）／接着層／アルミニウム箔／接着層／ＣＰＰ（無延伸ポリプロピレン）の層構成を有する積層シート、ＰＥＴ／印刷層／接着層／透明蒸着フィルム／接着層／ＯＮＹ／接着層／ＣＰＰの層構成を有する積層シート、あるいは、透明蒸着フィルム／印刷層／接着層／ＯＮＹ／接着層／ＣＰＰの層構成を有する積層シート等、レトルト殺菌処理可能な材質を用いることができる。
【００３０】
スリーブ３０は、板紙、紙を主体とした複合シート、プラスチックシートなど一定の厚みを持った折り曲げ性にすぐれた材料（部材）で形成される。
スリーブ３０は、未開封時にはパウチ２０の前後側にそれぞれ位置する枚葉の前片３１と後片４１とからなり、これら前片３１と後片４１とが底部中央折り込み線４０から折り畳まれてパウチ２０を内部に収納した状態で重ねられている。
【００３１】
スリーブ３０の前後片３１，４１には、それぞれ立体とした際の正面３２および後面４２と側面３３ａ，３３ｂと側面４３ａ，４３ｂ、底部３４，４４となる領域が設けられている。
これら前片３１と後片４１とは、略同一の形状なので、前片３１について説明する。後片４１は、前片３１と底部中央折り込み線４０に対して対称な形状とされており、前片３１の符号を４０番代に変えたものとなる。
底部中央折り込み線４０は、前片３１と後片４１とが接続された状態で前後片３１，４１の下側端部に横方向に延在している。
【００３２】
前片３１には、横方向に直線状とされる上端３１ａに対して直交する上下方向に延在する側縁折り線３７ａと側折り線３７ｂと側折り線３７ｃと側縁折り線３７ｄとが並設されて、側縁部３６ａ、側面３３ａ、正面３２、側面３３ｂ、側縁部３６ｂの境界を形成している。
前片３１には、正面３２下端部分の底アーチ折り線３８と、側折り線３７ｂ，３７ｃの下端とアーチ折り線３８外側端部との交点から外側下向き４５°に下降する下折り線３８ａ，３８ｂと、側折り線３７ｂ，３７ｃの下端から側折り線３７ｂ，３７ｃと同じ方向に延長された底側部折り線３９ａ，３９ｂとが横方向あるいは横方向から傾斜した方向に設けられて、側面３３ａ、正面３２、側面３３ｂ、内側脚部３５ａ、底部３４、内側脚部３５ｂの境界を形成している。
【００３３】
前片３１では、上端３１ａと底部中央折り込み線４０とが平行状態として横方向に直線状とされ、底部中央折り込み線４０が前片３１の下端を形成している。
前片３１の両側端では上下方向に延在する側縁部３６ａ，３６ｂと、上端３１ａと底部中央折り込み線４０とで略矩形の外径とされるとともに、側縁部３６ａ，３６ｂより下側位置で横方向の幅寸法が縮小された内側脚部３５ａ，３５ｂと底部３４が下方に突出した状態の輪郭形状とされている。
【００３４】
正面３２は、底アーチ折り線３８によって底部３４との境界をアーチ状に規定されるとともに、上端３１ａによって直線状に規定されることで、上下方向の領域を規定されている。また、正面３２は、側折り線３７ｂによって側面３３ａとの境界と規定されて、側折り線３７ｃによって側面３３ｂとの境界と規定されて、左右方向の領域を規定されている。また、正面３２の裏側は、パウチ２０の前シート材（前面）２１と貼着されている。後面４２の裏側は、パウチ２０の後シート材（後面）２２と貼着されている。これにより、スリーブ３０を立体に組み立てた際に、正面３２と後面４２との厚さ方向または前後方向距離が離間した際に、この動きに追従してパウチ２０の前シート材（前面）２１と後シート材（後面）２２とが厚さ方向または前後方向距離が離間する。
【００３５】
側面３３ａ、正面３２、側面３３ｂは、図示左側から右側に向けてこの順に前片３１の上側に位置し、スリーブ３０が組み立てられたときに立設された側周を形成するものとされる。
【００３６】
側面３３ａは側縁折り線３７ａによって側縁部３６ａとの境界と規定されるとともに、側折り線３７ｂによって正面３２との境界と規定されて、左右の領域を規定されている。同時に、側面３３ａの下端部はスリーブ３０が組み立てられたときに設置場所と接触する脚部３５ｃとされるとともに、下折り線３８ａによって内側脚部３５ａとの境界と規定されており、下側の領域を規定されている。
【００３７】
側面３３ｂは側縁折り線３７ｄによって側縁部３６ｂとの境界と規定されるとともに、側折り線３７ｃによって正面３２との境界が規定されて、左右の領域を規定されている。同時に、側面３３ｂの下端部はスリーブ３０が組み立てられたときに設置場所と接触する脚部３５ｄとされるとともに、下折り線３８ｂによって内側脚部３５ｂとの境界と規定されており、下側の領域を規定されている。
【００３８】
側縁部３６ａは、側面３３ａよりも外側で前片３１の両側端に位置して上下方向に延在し、パウチ２０の両側端部２１ｂ，２２ｂを後片４１の側縁部４６ａとともに表裏面から一体的に挟んで接続する。
側縁部３６ｂは、側面３３ｂよりも外側で前片３１の両側端に位置して上下方向に延在し、パウチ２０の両側端部２１ｂ，２２ｂを後片４１の側縁部４６ｂとともに表裏面から一体的に挟んで接続する。
側縁部３６ａには、その外側に凹形状となる指掛け部３６ｃ，３６ｄが設けられるとともに、この指掛け部３６ｃ，３６ｄに対応する高さ位置として側縁部３６ｂの外側に同形の凹形状となる指掛け部３６ｅ，３６ｆが設けられている。
【００３９】
脚部３５ｃと内側脚部３５ａとは、スリーブ３０が組み立てられたときに下折り線３８ａによって折れ曲がり、ほぼ並行で下端が等しい高さとなるように構成されている。脚部３５ｄと内側脚部３５ｂとは、スリーブ３０が組み立てられたときに下折り線３８ｂによって折れ曲がり、ほぼ並行で下端が等しい高さとなるように構成されている。
脚部４５ｃと内側脚部４５ａとは、スリーブ３０が組み立てられたときに下折り線４８ａによって折れ曲がり、ほぼ並行で下端が等しい高さとなるように構成されている。脚部４５ｄと内側脚部４５ｂとは、スリーブ３０が組み立てられたときに下折り線４８ｂによって折れ曲がり、ほぼ並行で下端が等しい高さとなるように構成されている。
【００４０】
脚部３５ｃと内側脚部３５ａと脚部４５ｃと内側脚部４５ａとは、スリーブ３０が組み立てられたときにほぼ面一で下端が接地面とされる等しい面内に位置するように構成されている。脚部３５ｄと内側脚部３５ｂと脚部４５ｄと内側脚部４５ｂとは、スリーブ３０が組み立てられたときにほぼ面一で下端が接地面とされる等しい面内に位置するように構成されている。
【００４１】
底部３４は、底アーチ折り線３８によって正面３２との境界が規定されて、底部中央折り込み線４０によって底部４４との境界が規定されて、上下方向または前後方向の領域が規定されるとともに、底側部折り線３９ａによって内側脚部３５ａとの境界が規定されて、底側部折り線３９ｂによって内側脚部３５ｂとの境界が規定され左右方向の領域が規定される。底部３４および底部４４は、スリーブ３０が組み立てられたときに、底アーチ折り線３８によって規定される曲面として固定され、この底部３４および底部４４の曲面化によって立体化されたスリーブ３０平面形状に戻ってしまうことを規制する。
【００４２】
側縁折り線３７ａは、側縁部３６ａと側面３３ａとの間に位置してこれらの境界となり、スリーブ３０を立体化して組み立てた際に側縁部３６ａが側面３３ａおよび側面４３ａから横方向に突出するように設けられる。また、側縁折り線３７ａは、側縁部３６ａにおいて、パウチ２０の両側端部２１ｂ、２２ｂを貼着する内側の境界とすることができる。
側折り線３７ｂは、側面３３ａと正面３２の間に位置してこれらの境界となり、スリーブ３０を立体化して組み立てた際に正面３２と側面３３ａとで形成される角部となる。
側折り線３７ｃは、側面３３ｂと正面３２の間に位置してこれらの境界となり、スリーブ３０を立体化して組み立てた際に正面３２と側面３３ｂとで形成される角部となる。
側縁折り線３７ｄは、側縁部３６ｂと側面３３ｂとの間に位置してこれらの境界となり、スリーブ３０を立体化して組み立てた際に側縁部３６ｂが側面３３ｂおよび側面４３ｂから横方向に突出するように設けられる。また、側縁折り線３７ｂは、側縁部３６ｂにおいて、パウチ２０の両側端部２１ｂ、２２ｂを貼着する内側の境界とすることができる。
【００４３】
底アーチ折り線３８は、正面３２と底部３４との境界をなすとともに両側部３３ａ，３３ｂを横方向に結ぶアーチ状として設けられる。
底側部折り線３９ａは、上側に側折り線３７ｂが連続して延在し、その反対側には、底部中央折り込み線４０を挟んで、底側部折り線４９ａと側折り線４７ｂとが連続されている。これら、側折り線３７ｂ、底側部折り線３９ａ、底側部折り線４９ａ、側折り線４７ｂは、図５に示すスリーブ３０の展開状態では直線を為すように連続している。
底側部折り線３９ｂは、上側に側折り線３７ｃが連続して延在し、その反対側には、底部中央折り込み線４０を挟んで、底側部折り線４９ｂと側折り線４７ｃとが連続されている。これら、側折り線３７ｃ、底側部折り線３９ｂ、底側部折り線４９ｂ、側折り線４７ｃは、図５に示すスリーブ３０の展開状態では直線を為すように連続している。
【００４４】
本実施形態のパウチスリーブ１０は、有底状のバリアフィルムからなる扁平なパウチ２０と、パウチ２０を内部に収納した扁平なスリーブ３０とからなり、パウチの上端２１ａは、スリーブ３０の上端３１ａ，４１ａよりも上側に突出しているが、スリーブ３０内部にパウチ２０が完全に収納されるように、スリーブ３０の上端３１ａ，４１ａがパウチの上端２１ａよりも上側に突出していることもできる。
【００４５】
＜搬送状態（未開封）＞
本実施形態のパウチスリーブ１０は、パウチ２０に食材を封入して（図示しないが）その上端２１ａを密閉して扁平にする。この扁平状態のパウチ２０を底部中央折り込み線４０のみが山折りとなった略平板状のスリープ３０で挟むことで、未開封の搬送状態とすることができる。この状態で、パウチスリーブ１０の厚みは非常に薄く、容積も小さいものとなる。
【００４６】
＜立体組み立て（開封）＞
まず、本実施形態のパウチスリーブ１０は、未開譜状態であるパウチ２０の上端２１ａを開封する。次いで、底部中央折り込み線４０が上側に移動するように力をかけ、同時に、底アーチ折り線３８および底アーチ折り線４８を山折りとして、底部３４および底部４４をアーチ状の連続した曲面となるように、山折りされていた底部中央折り込み線４０の両端を面一とする。
【００４７】
このとき、下折り線３８ａを山折りとして、脚部３５ｃと内側脚部３５ａとを接近させ、下折り線４８ａを山折りとして、脚部４５ｃと内側脚部４５ａとを接近させ、下折り線３８ｂを山折りとして、脚部３５ｄと内側脚部３５ｂとを接近させ、下折り線４８ｂを山折りとして、脚部４５ｄと内側脚部４５ｂとを接近させる。同時に、底側部折り線３９ａを谷折りとして、内側脚部３５ａを底部３４から上下方向下側に突出されるように変形し、底側部折り線３９ｂを谷折りとして、内側脚部３５ｂを底部３４から上下方向下側に突出されるように変形し、底側部折り線４９ａを谷折りとして、内側脚部４５ａを底部４４から上下方向下側に突出されるように変形し、底側部折り線４９ｂを谷折りとして、内側脚部４５ｂを底部４４から上下方向下側に突出されるように変形する。
【００４８】
同時に、スリーブ３０の側縁部３６ａと側縁部３６ｂとが近づくように力を加えて、スリーブ３０を横方向内側に縮めることで、側縁折り線３７ａを谷折りとし、側折り線３７ｂ，３７ｃを山折りとし、側縁折り線３７ｄを谷折りとして、正面３２と後面４２とを厚さ方向である前後方向に離間させるように移動させる。
【００４９】
正面３２と後面４２とが広がる動きに追従して、正面３２と後面４２とに貼着されたパウチ２０の前シート材（前面）２１と後シート材（後面）２２とが厚さ方向である前後方向に離間させるように移動するとともに、中央底折り線２４で二つ折りにされていた底シート材（底部）２３が平面化して、パウチ２０内部の空間が拡大されて上端２１ａが大きく開放状態とされた開口となる。このように、スリーブ３０を立体形状に変化させることにより、スリーブ３０の正面３２および後面４２に接続されたパウチ２０が筒状に開くことができる。
【００５０】
脚部３５ｃと内側脚部３５ａと脚部３５ｄと内側脚部３５ｂとが上下方向下向きに突出して、二重の脚となっているとともに、四点で接地することで強固でかつ安定に自立可能なパウチスリーブ１０とすることができる。これにより、熱湯を注入した場合でも、安全に自立するパウチスリーブ１０を提供することが可能となる。
【００５１】
また、一動作で立体化すると共に、その状態を維持するようにロックすることが可能なため、簡便に開封して容易に食材を食べることが可能となる。
同時に、指掛け部４６ｃ，４６ｄ，４６ｅ，４６ｆが横方向に突出して形成されるため、安定して把持することができ、湯を注入した状態で把持・携帯した場合でも、内容物の温度が把持者の手に伝わらないようにすることが可能となる。
【００５２】
次に、本実施形態のパウチスリーブ１０の製造方法を説明する。
【００５３】
まず、スリーブ準備工程として、スリーブ３０となる板紙等を、打ち抜き等の成形加工により、図５に示す展開形状となるようにその輪郭を形成する。同時に、またはその後、各折り線を折り線加工として形成する。スリーブ３０を、前片３１と後片４１となるように底部中央折り込み線４０から二つ折りにする。
【００５４】
次いで、パウチ準備工程として、上述したシート材からなる長尺材を中央底折り線２４を谷折り、前底折り線２５および前底折り線２６を山折りとして折り畳む。次いで、上端２１ａを切り離すとともに矩形および台形からなる輪郭形状に切断し、両側端部２１ｂ、２２ｂと両側端部２１ｃ、２３ｃと両側端部２２ｄ、２３ｄとを加熱・圧着等によりシールして、パウチ２０とする。
【００５５】
次いで、充填工程として、パウチ２０に上端２１ａから所定の食材を充填し、例えば、減圧処理とともに上端２１ａをシールして、パウチ２０を扁平状に圧縮した状態とする。
【００５６】
次いで、貼着工程として、扁平なパウチ２０を二つ折りとされたスリーブ３０内側に載置して位置決めし、前シート材（前面）２１と正面３２とを貼り着け、後シート材（後面）２２と後面４２とを貼り着ける。最後に、パウチ２０の両側端部２１ｂ、２２ｂとスリーブ３０の側縁部３６ａと側縁部３６ｂとを貼り着けて、食材の充填されたパウチスリーブ１０を搬送状態として製造する。
【００５７】
なお、パウチスリーブ１０の製造方法としては、貼着工程後に充填工程としてパウチ２０に上端２１ａから所定の食材を充填し密閉することも可能である。
【符号の説明】
【００５８】
１０…パウチスリーブ
２０…パウチ
２１…前シート材（前面）
２２…後シート材（後面）
２３…底シート材（底部）
２１ａ…上端
２４…中央底折り線
２５…前底折り線
２６…前底折り線
２１ｂ、２２ｂ…両側端部
２１ｃ、２３ｃ…両側端部
２２ｄ、２３ｄ…両側端部
３０…スリーブ
３１…前片
３１ａ…上端
３２…正面
３３ａ，３３ｂ…側面
３４…底部
３５ａ，３５ｂ…内側脚部
３６ａ，３６ｂ…側縁部
３６ｃ，３６ｄ，３６ｅ，３６ｆ…指掛け部
３７ａ…側縁折り線
３７ｂ，３７ｃ…側折り線
３７ｄ…側縁折り線
３８…底アーチ折り線
３８ａ，３８ｂ…下折り線
３９ａ，３９ｂ…底側部折り線
４０…底部中央折り込み線
４１…後片
４１ａ…上端
４２…後面
４３ａ，４３ｂ…側面
４４…底部
４５ａ，４５ｂ…内側脚部
４６ａ，４６ｂ…側縁部
４６ｃ，４６ｄ，４６ｅ，４６ｆ…指掛け部
４７ａ…側縁折り線
４７ｂ，４７ｃ…側折り線
３７ｄ…側縁折り線
４８…底アーチ折り線
４８ａ，４８ｂ…下折り線
４９ａ，４９ｂ…底側部折り線
【図１】
2016011120.tif 000003
【図２】
2016011120.tif 000004
【図３】
2016011120.tif 000005
【図４】
2016011120.tif 000006
【図５】
2016011120.tif 000007
【図６】
2016011120.tif 000008
【図７】
2016011120.tif 000009